(57)【要約】【課題】  ホログラム記録層を有する記録媒体において、従来よりも簡単で、使いやすい多重記録特性などの測定方法を提供すること。【解決手段】  記録媒体のホログラムが記録されるホログラム記録層に対し、各ホログラム１１、１２、１３が互いに重ならないように分散させて複数のホログラムを記録してホログラム群１１Ｇ、１２Ｇ、１３Ｇを形成し、ホログラム群１１Ｇ、１２Ｇ、１３Ｇを必要な回数重畳させて多重記録領域２１、３１を形成し、記録領域内に多重記録領域を含むホログラムを再生して多重記録時におけるホログラム又はホログラム記録層の特性を測定する。【選択図】      図１
2007079456.tif 000002
【特許請求の範囲】
【請求項１】
記録媒体のホログラムが記録されるホログラム記録層に対し、各ホログラムが互いに重ならないように分散させて複数のホログラムを記録してホログラム群を形成し、
前記ホログラム群を必要な回数重畳させて多重記録領域を形成し、
記録領域内に前記多重記録領域を含むホログラムを再生して多重記録時におけるホログラム又はホログラム記録層の特性を測定することを特徴とする測定方法。
【請求項２】
前記ホログラム群を形成する際に、前記ホログラム記録層に既に記録されているホログラムの中心と重畳しない位置を中心として当該ホログラム群に含まれる各ホログラムを記録することを特徴とする請求項１に記載の測定方法。
【請求項３】
前記ホログラム群を形成する際に、当該ホログラム群に含まれる複数のホログラムのうち少なくとも一つのホログラムは、その記録領域中における多重度の分布が均等となるように配置することを特徴とする請求項１または２に記載の測定方法。
【請求項４】
前記ホログラム群を形成する際に、前記ホログラム記録層に既に記録されているホログラムの中心から最も離間する位置を中心として当該ホログラム群に含まれる各ホログラムを記録することを特徴とする請求項１乃至３の何れか１項に記載の測定方法。
【請求項５】
前記各ホログラム群を形成する際に、当該ホログラム群に含まれる複数のホログラムのうち周辺に配置されたものを除いて、各ホログラムの記録領域中における多重度の分布状態が等しくなるように当該ホログラム群に含まれる複数のホログラムを配置することを特徴とする請求項１乃至４の何れか１項に記載の測定方法。
【請求項６】
前記各ホログラム群における複数のホログラムは、隣接するホログラムの中心を直線で結んだ時の中心角が９０度となるように規則的に配置されていることを特徴とする請求項１乃至５の何れか１項に記載の測定方法。
【請求項７】
前記各ホログラム群における複数のホログラムは、隣接するホログラムの中心を直線で結んだ時の中心角が６０度となるように規則的に配置されていることを特徴とする請求項１乃至５の何れか１項に記載の測定方法。
【請求項８】
前記各ホログラム群における複数のホログラムは、隣接するホログラムの中心間のピッチがホログラムの直径となるように配置されていることを特徴とする請求項１乃至７のいずれか１項に記載の測定方法。
【請求項９】
前記多重記録領域を形成するホログラム群に含まれる複数のホログラムの少なくとも一つを再生して特性を測定することを特徴とする請求項１乃至８のいずれか１項に記載の測定方法。
【請求項１０】
前記再生されるホログラム群のホログラムは、当該ホログラム群に含まれる他のホログラムに囲まれていることを特徴とする請求項９に記載の測定方法。
【請求項１１】
前記ホログラム群の複数のホログラムは、同じ露光量の光によって記録されることを特徴とする請求項１乃至１０の何れか１項に記載の測定方法。
【請求項１２】
前記測定される特性は、ＢＥＲ、ＳＥＲ、回折効率、ＳＮＲ、クロストークノイズ、グレーティングノイズ、多重度に対する露光量の関係又はホログラム記録層のＭナンバーであることを特徴とする請求項１乃至１１の何れか１項に記載の測定方法。
【発明の詳細な説明】
【技術分野】
【０００１】
本発明は、物体波と参照波によって形成される干渉縞をホログラムとして記録することができるホログラム記録層において、ホログラムを重ねて記録する多重記録時におけるホログラム又はホログラム記録層の特性の測定方法に関する。
【背景技術】
【０００２】
ホログラフィを利用して光情報記録媒体に情報を記録するホログラフィック記録は、一般的に、イメージ情報を持った情報光と参照光とを光情報記録媒体の内部で重ね合わせ、そのときにできる干渉縞を光情報記録媒体の情報記録層に書き込むことによって行われる。記録された情報の再生時には、その光情報記録媒体に参照光を照射することにより、干渉縞による回折によってイメージ情報を持つ再生光が再生される。
【０００３】
近年、ホログラフィック記録において、超高密度のデータ密度とするために、ボリュームホログラフィ、特にデジタルボリュームホログラフィが注目を集めている。ボリュームホログラフィとは、光情報記録媒体の厚み方向も積極的に活用して、３次元的に干渉縞を書き込む方式であり、デジタルボリュームホログラフィとは、ボリュームホログラフィと同様の光情報記録媒体と記録方式を用いつつも、記録するイメージ情報は２値化したデジタルパターンに限定した、コンピュータ指向のホログラフィック記録方式である。このデジタルボリュームホログラフィにおいては、例えばアナログ的な絵のような画像情報も、一旦デジタル化して、２次元デジタルパターン情報に符号化し、これをイメージ情報として記録する。再生時は、この２次元デジタルパターン情報を読み出してデコードすることで、元の画像情報に戻して表示する。これにより、再生時にＳＮ比（信号対雑音比）が多少悪くても、微分検出を行ったり、２値化データをコード化しエラー訂正を行ったりすることで、極めて忠実に元の情報を再現することが可能になる。
【０００４】
こうしたボリュームホログラフィにおいては、ホログラム記録層の厚みを増すことで回折効率を高め、多重記録を用いて記録容量を飛躍的に増大させることができるという特徴がある。多重記録とは、既に情報光および記録用参照光を照射してホログラムを記録した領域の一部又は全部に別のホログラムを重ねて記録する方法である。
【０００５】
ホログラムを記録するための記録媒体におけるホログラム記録層は、情報光及び参照光に対して感光性を有するモノマーが混入されており、情報光及び参照光が干渉して形成された干渉縞によってモノマーの一部が反応してポリマーとなることで、屈折率等の光学特性を変化させ、干渉縞（ホログラム）を記録する。つまり、ホログラムを記録することによって、ホログラム記録層中のモノマーの一部が消費される。また、記録された部分のモノマー濃度が減少すると、周囲からモノマーが拡散移動する。
【０００６】
多重記録する場合、徐々にホログラム記録層中のモノマー濃度が減少するため、多重度が増えると情報光及び参照光の光強度を強くしたり、照射時間を長くして露光量を多くする必要があった。この多重度に応じて露光量を変更することをスケジューリングと呼ぶこともある。
【０００７】
従来、多重記録した時のホログラム又はホログラム記録層の特性（以下「多重記録特性」と呼ぶ）を測定する方法として、可変ピッチの渦巻き状シフト多重方式（ＶＰＳ：Variable Pitch Spiral method）が知られていた（非特許文献１及び２）。このＶＰＳ方式は、図６（Ａ）及び（Ｂ）に示すように、最後のホログラムが目的の多重度Ｍとなるように、外側から渦巻き状に（２Ｍ1/2−１）×（２Ｍ1/2−１）個のホログラムを（スポット径／Ｍ1/2）のピッチで移動させながら、多重記録していく方式である。図６では、Ｍ＝９とし、５×５＝２５個のホログラムをスポット径の１／３のピッチで渦巻き状に移動させてシフト多重記録している。なお図６（Ａ）ではホログラムの記録領域を、（Ｂ）ではホログラムの中心の位置を示している。
【０００８】
すなわち、最初、位置６０１ａを中心としてホログラム６０１（点線で示す）を記録する。次に、位置６０１ａからスポット径の１／３のピッチ移動した位置６０２ａを中心として、ホログラム６０２（点線で示す）を記録する。順次、位置６０３ａ乃至６２４ａを中心としてホログラム６０３乃至６２４を記録し、最後に、多重記録領域全体の中央である位置６２５ａを中心とするホログラム６２５（太線で示す）を記録し、再生して、ＳＮＲ（Ｓｉｇｎａｌ−ｔｏ−Ｎｏｉｓｅ  Ｒａｔｉｏ）、ＢＥＲ（Ｂｉｔ  Ｅｒｒｏｒ  Ｒａｔｅ）、回折効率などを測定していた。
【０００９】
こうして記録された中央のホログラム６２５は、それ以前に記録したホログラム６０１〜６２４の一部と重畳しており、その多重度は９となる。なお、多重度Ｍ＝４の場合は９個のホログラムをスポット径の１／２のピッチで移動させればよく、Ｍ＝２５の場合は、８１個のホログラムをスポット径の１／５のピッチで移動させればよい。
【００１０】
【非特許文献１】イシオカ他、「講演番号ＴｈＥ３、青色レーザー及びランダム位相マスクを用いたコリニア光学のホログラフィック記録システム（Optical Collinear Holographic Recording System Using a Blue Laser and a Random Phase Mask）」、光記録及び光データストレージに関する国際シンポジウム（International Symposium on Optical Memory and Optical Data storage）の技術要約、米国、２００５年７月１０−１４日
【非特許文献２】サトウ他、「講演番号Ｔｈ−Ｊ−０６、可変ピッチ渦巻方法による多重ホログラムの評価（Evaluation of Multiplex Hologram by Variable Pitch Spiral Method）」、光記録に関する国際シンポジウム２００４（International Symposium on Optical Memory）の技術要約、韓国、２００４年１０月１１−１５日、１８４−１８５頁
【発明の開示】
【発明が解決しようとする課題】
【００１１】
しかしながら、ＶＰＳ方式の場合、最後に記録される中央のホログラム（図６においては６２５）でしか多重記録特性の評価ができない。中央のホログラム６２５を記録する場合は、その記録領域内の既に記録されたホログラム６０１〜６２４が平均的に分散され、多重度の分布も均等となっているから、記録領域の多重度を約８とみなし、ホログラム６２５の記録再生特性を多重度９の多重記録特性として評価できる（但し後述するように誤差が大きい）。これに対し、それ以外のホログラム（図６における６０１〜６２４）を記録する場合は、記録領域内の既に記録されたホログラムの分布が一様ではなく記録領域の多重度が不均一となっており、多重度を特定できない。このため、中央のホログラム以外では多重記録特性を正確に評価できないのである。
【００１２】
より分かりやすく説明するため、図６（Ｃ）及び（Ｄ）では、ホログラムの形状を正方形とした場合のＶＰＳ方式による多重記録を示す。図６（Ｃ）及び（Ｄ）において、ホログラムの領域中の数字は、その領域の多重度を示し、点線の太線で示す領域がこれからホログラムを記録する領域である。図６（Ｃ）は、最後のホログラム６２５を記録する前の状態であり、ホログラム６２５の記録領域（点線の太線で示す）は、既に記録されたホログラムによって、多重度が８となっていることが分かる。図６（Ｄ）は、７番目のホログラム６０７を記録する前の状態であり、ホログラム６０７の記録領域（点線の太線で示す）は、多重度が２、３及び４の領域がそれぞれ全体の１／９、更に多重度が１の領域が１／３、まだホログラムが記録されていないが領域が１／３存在している。このように、記録領域中の多重度が不均一であり、且つホログラム記録層中のモノマーは拡散移動するので、多重記録特性の定量的な評価とすることができなかった。
【００１３】
更に、渦巻き状の周辺のホログラムは、記録領域中にホログラムが全く記録されていない領域や多重度の少ない領域がかなりの割合で含まれるため、記録領域中に高濃度のモノマーが存在しており、記録するために必要な露光量が少なくてすむ。例えば、図６（Ｄ）において、ホログラム６０７の記録領域（点線の太線で示す）には、多重度が２乃至４の領域がそれぞれ全体の１／９と多重度が１の領域が１／３存在しており、平均すると多重度が４／３（１／３＋２／９＋３／９＋４／９）となり、多重度が１よりも大きくなるが、実際には、多重度が１の領域が１／３、まだホログラムが記録されていないが領域が１／３存在しており、これらの領域における高濃度のモノマーによって、少ない露光量でもホログラムの記録が可能となりうる。
【００１４】
その結果、渦巻き状の周辺のホログラムは、目的の多重度におけるモノマー濃度よりも高濃度のモノマーが残存してしまう。このため、周辺のホログラムに重ねて記録される渦巻き状の内側のホログラムも、少ない露光量で記録されることになる。結局、最後に記録される中央のホログラム６２５においても、図６（Ｃ）に示すように、多重度が８とみなせるように多重記録されているはずが、実際に８回多重記録して多重度が８となっている領域に比べて、モノマー濃度が高くなっており、ホログラム６２５を記録再生することで得られる特性は、多重度９の多重記録特性として誤差が大きいものであった。
【００１５】
また、ＶＰＳ方式の場合、目的とする多重度Ｍは、ピッチによって一義的に決まってしまう。このため、異なる多重度の多重記録特性を測定する場合は、また一から渦巻き状の多重記録を行う必要がある。更に、ホログラム記録層の多重度の限界を調べる場合は、ピッチを変えながら、それぞれの多重度について渦巻き状の多重記録を行わなければならなかった。ＶＰＳ方式においてピッチを変更すると、多重記録の条件も変わってしまうので、各渦巻き状の多重記録におけるスケジューリングもその度に再設計しなければならず、作業量は膨大なものとなってしまう。
【００１６】
本発明は、上記の問題点に鑑みてなされたものであり、ホログラム記録層を有する記録媒体において、従来よりも簡単で、使いやすい多重記録特性などの測定方法を提供することを目的とする。
【課題を解決するための手段】
【００１７】
本発明の測定方法は、記録媒体のホログラムが記録されるホログラム記録層に対し、各ホログラムが互いに重ならないように分散させて複数のホログラムを記録してホログラム群を形成し、前記ホログラム群を必要な回数重畳させて多重記録領域を形成し、記録領域内に前記多重記録領域を含むホログラムを再生して多重記録時におけるホログラム又はホログラム記録層の特性を測定することを特徴とする。
【００１８】
更に、上記測定方法において、前記ホログラム群を形成する際に、前記ホログラム記録層に既に記録されているホログラムの中心と重畳しない位置を中心として当該ホログラム群に含まれる各ホログラムを記録することが好ましい。このような構成を採用することにより、ホログラム記録層中のモノマーの消費をより平均化することができる。
【００１９】
更に、上記測定方法において、前記ホログラム群を形成する際に、当該ホログラム群に含まれる複数のホログラムのうち少なくとも一つのホログラムは、その記録領域中における多重度の分布が均等となるように配置することが好ましい。このような構成を採用することにより、当該ホログラムの記録領域中では、平均的にホログラム記録層中のモノマーが消費されており、そのホログラムの多重度を評価することができる。
【００２０】
更に、上記測定方法において、前記ホログラム群を形成する際に、前記ホログラム記録層に既に記録されているホログラムの中心から最も離間する位置を中心として当該ホログラム群に含まれる各ホログラムを記録することが好ましい。このような構成を採用することにより、ホログラム記録層中のモノマー濃度が高い領域を中心としてホログラムを記録することができ、効率的且つ均一にモノマーを消費することができる。
【００２１】
更に、上記測定方法において、前記各ホログラム群を形成する際に、当該ホログラム群に含まれる複数のホログラムのうち周辺に配置されたものを除いて、各ホログラムの記録領域中における多重度の分布状態が等しくなるように当該ホログラム群に含まれる複数のホログラムを配置することが好ましい。このような構成を採用することにより、多重度が均等に分布した多重記録領域を形成することができる。
【００２２】
更に、上記測定方法において、前記各ホログラム群における複数のホログラムは、隣接するホログラムの中心を直線で結んだ時の中心角が９０度となるように規則的に配置されていたり、隣接するホログラムの中心を直線で結んだ時の中心角が６０度となるように規則的に配置されていてもよい。これらの構成を採用することにより、各ホログラム群の複数のホログラムを均一に分散させて配置することができ、ホログラム記録層中のモノマーを平均的に消費することができる。
【００２３】
更に、上記測定方法において、前記各ホログラム群における複数のホログラムは、隣接するホログラムの中心間のピッチがホログラムの直径となるように配置されていることが好ましい。このような構成を採用することにより、ホログラムの密度を高くでき、多重度を大きくすることができる。
【００２４】
更に、上記測定方法において、前記多重記録領域を形成するホログラム群に含まれる複数のホログラムの少なくとも一つを再生して特性を測定することが好ましい。このような構成を採用することにより、特性測定用のホログラムを別途記録する必要がなくなり、また多重記録特性を測定した後も続けて次のホログラム群を記録することができる。
【００２５】
更に、上記測定方法において、前記再生されるホログラム群のホログラムは、当該ホログラム群に含まれる他のホログラムに囲まれていることが好ましい。このような構成を採用することにより、周囲のホログラムによって平均的にホログラム記録層中のモノマーが消費されているので、多重記録特性の測定結果が安定し、より定量的な評価が可能となる。
【００２６】
更に、上記測定方法において、前記ホログラム群の複数のホログラムは、同じ露光量の光によって記録されることが好ましい。このような構成を採用することにより、ホログラム記録層中のモノマーを均一に消費できる。
【００２７】
更に、上記測定方法において、前記測定される特性は、ＢＥＲ、ＳＥＲ、回折効率、ＳＮＲ、クロストークノイズ、グレーティングノイズ、多重度に対する露光量の関係又はホログラム記録層のＭナンバーであってもよい。
【発明の効果】
【００２８】
本発明の測定方法によれば、ホログラム群の数を増やすことにより、容易に所定の多重度の多重記録特性を測定することができる。また、ホログラム群の各ホログラムが互いに重ならないように分散されているので、各ホログラム群は、ホログラム記録層中のモノマーを平均的に消費するので、安定した多重記録特性を測定することができる。
【発明を実施するための最良の形態】
【００２９】
以下、本発明の実施の形態を図１〜図５を用いて説明する。
【００３０】
本発明の測定方法は、まず、記録媒体のホログラムが記録されるホログラム記録層に対し、各ホログラム１１が互いに重ならないように分散させて複数のホログラム１１を記録する。この複数のホログラム１１によって第１のホログラム群１１Ｇが形成される。第１のホログラム群１１Ｇを記録するに際し、第１のホログラム群１１Ｇの複数のホログラム１１は、同じ露光量の光によって記録されていると、均一にモノマーを消費できるので好ましい。図１（Ａ）においては、第１のホログラム群１１Ｇの複数のホログラム１１は、それぞれ垂直な行列に沿って配置されており、隣接するホログラムの中心１１ａを直線で結んだ時の中心角が９０度となるように規則的に配置されている。更に、図１（Ａ）においては、第１のホログラム群１１Ｇの複数のホログラム１１は、隣接するホログラム１１の中心１１ａ間のピッチがホログラムの直径となるように均等に分散させて配置されている。隣接するホログラムの中心間のピッチがホログラムの直径となるように配置されていると、ホログラムの密度を高くでき、多重度を大きくすることができる。
【００３１】
ここで、第１のホログラム群１１Ｇのホログラム１１を再生して初期特性を測定しておくことが好ましい。また、特性測定用のホログラムを記録領域内にホログラム１１の少なくとも一部を含むように記録し、それを再生して多重記録時におけるホログラム又はホログラム記録層の特性を測定してもよい。
【００３２】
次に、各ホログラム１２が互いに重ならないように分散させて複数のホログラム１２を記録して第２のホログラム群１２Ｇを形成する。第２のホログラム群１２Ｇの少なくとも一部は、第１のホログラム群１１Ｇ（図１（Ｂ）においては点線で示す）と重畳させる。そして、第１のホログラム群１１Ｇのホログラム１１と第２のホログラム群１２Ｇのホログラム１２とが重畳して、多重記録領域２１（斜線で示す）が形成される。第２のホログラム群１２Ｇを記録するに際し、第２のホログラム群１２Ｇの複数のホログラム１２は、同じ露光量の光によって記録されていると、均一にモノマーを消費できるので好ましい。
【００３３】
図１（Ｂ）においては、第２のホログラム群１２Ｇの複数のホログラム１２は、それぞれ垂直な行列に沿って配置されており、隣接するホログラムの中心１２ａを直線で結んだ時の中心角が９０度となるように、第１のホログラム群１１Ｇと同じ規則で配置されている。更に、図１（Ｂ）においては、第２のホログラム群１２Ｇの複数のホログラム１２は、隣接するホログラム１２の中心１２ａ間のピッチがホログラムの直径となるように均等に分散させて配置されている。
【００３４】
また、図１（Ｂ）に示すように、第２のホログラム群１２Ｇの複数のホログラム１２は、ホログラム記録層に既に記録されているホログラム１１の中心１１ａと重畳しない位置を中心１２ａとしている。ホログラム群を形成する際に、ホログラム記録層に既に記録されているホログラムの中心と重畳しない位置を中心として当該ホログラム群に含まれる各ホログラムを記録すると、ホログラム記録層中のモノマーの消費を平均化することができる。
【００３５】
更に、図１（Ｂ）の第２のホログラム群１２Ｇの各ホログラム１２は、ホログラム記録層に既に記録されているホログラム１１の中心１１ａから最も離間する位置を中心１２ａとして記録されている。そして、第２のホログラム群１２Ｇに含まれる複数のホログラム１２のうち左下の３×３個のホログラム１２は、その記録領域中における多重度の分布が均等となっている。また、左下の３×３個のホログラム１２は、記録領域中における多重度の分布状態が等しくなっており、多重度が均等に分布した多重記録領域を形成することができる。
【００３６】
ここで、記録領域内に多重記録領域２１を含むホログラム１１又はホログラム１２を再生して多重記録時におけるホログラム又はホログラム記録層の特性を測定してもよい。例えば、ホログラム１２からは、既に記録されているホログラム１１に重畳させて記録した時の多重記録特性を評価できる。ホログラム１１からは、第２のホログラム群１２Ｇを形成する前と形成した後の特性を比較することで、記録領域内に後から他のホログラム１２を重畳させて多重記録した時の既に記録されているホログラム１１への影響を評価できる。
【００３７】
また、ホログラム群１１Ｇ又は１２Ｇに含まれるホログラム１１又は１２ではなく、別途、特性測定用のホログラムを記録領域内に多重記録領域２１を含むように記録し、それを再生して多重記録時におけるホログラム又はホログラム記録層の特性を測定してもよい。
【００３８】
再生されるホログラムは、その記録領域中における多重度の分布が均等となっていることが好ましい。記録領域中における多重度の分布が均等であれば、平均的にホログラム記録層中のモノマーが消費されており、そのホログラムの多重度を評価することができる。第２のホログラム群１２Ｇのホログラム１２を再生するのであれば、上述したとおり、左下の３×３個のホログラム１２の何れかを再生することが好ましい。
【００３９】
また、ホログラム１１を再生する場合、再生されるホログラムは、ホログラム群１１Ｇに含まれる他のホログラム１１に囲まれていることが好ましく、ホログラム１２を再生する場合、再生されるホログラムは、ホログラム群１２Ｇに含まれる他のホログラム１２に囲まれていることが好ましい。例えば、第１のホログラム群１１Ｇであれば、図１（Ａ）の中央に位置する２×２のホログラム１１の何れかであり、第２のホログラム群１２Ｇであれば、図１（Ｂ）の中央２×２のホログラム１２の何れかである。この場合、周囲のホログラムによって平均的にホログラム記録層中のモノマーが消費されているので、多重記録特性の測定結果が安定し、より定量的な評価が可能となる。図１においては、４×４＝１６個のホログラムを記録しているが、最低３×３＝９個のホログラムをホログラム群として記録すれば、中央のホログラムが他のホログラムに囲まれることになり好ましい。
【００４０】
更に、各ホログラム１３が互いに重ならないように分散させて複数のホログラム１３を記録して第３のホログラム群１３Ｇを形成する。第３のホログラム群１３Ｇの少なくとも一部は、第１又は／及び第２のホログラム群１１Ｇ、１２Ｇ（図１（Ｃ）においては点線で示す）と重畳させる。そして、ホログラム１１、ホログラム１２及びホログラム１３の内、２つ又は３つのホログラムが重畳した多重記録領域３１（斜線で示す）が形成される。第３のホログラム群１３Ｇを記録するに際し、第３のホログラム群１３Ｇの複数のホログラム１３は、同じ露光量の光によって記録されていると、均一にモノマーを消費できるので好ましい。
【００４１】
図１（Ｃ）においては、第３のホログラム群１３Ｇの複数のホログラム１３は、それぞれ垂直な行列に沿って配置されており、隣接するホログラムの中心１３ａを直線で結んだ時の中心角が９０度となるように、第１及び第２のホログラム群１１Ｇ、１２Ｇと同じ規則で配置されている。更に、図１（Ｃ）においては、第３のホログラム群１３Ｇの複数のホログラム１３は、隣接するホログラム１３の中心１３ａ間のピッチがホログラムの直径となるように均等に分散させて配置されている。
【００４２】
また、図１（Ｃ）に示すように、第３のホログラム群１３Ｇの複数のホログラム１３は、ホログラム記録層に既に記録されているホログラム１１、１２の中心１１ａ、１２ａと重畳しない位置を中心１３ａとしている。更に、図１（Ｃ）の第３のホログラム群１３Ｇの各ホログラム１３は、ホログラム記録層に既に記録されているホログラム１１、１２の中心１１ａ、１２ａから最も離間する位置を中心１３ａとして記録されている。そして、第３のホログラム群１３Ｇに含まれる複数のホログラム１３のうち左上の３×３個のホログラム１３は、その記録領域中における多重度の分布が均等となっている。また、左上の３×３個のホログラム１３は、記録領域中における多重度の分布状態が等しくなっており、多重度が均等に分布した多重記録領域を形成することができる。
【００４３】
ここで、記録領域内に多重記録領域３１を含むホログラム１１、ホログラム１２又はホログラム１３を再生して多重記録時におけるホログラム又はホログラム記録層の特性を測定してもよい。また、別途、特性測定用のホログラムを記録領域内に多重記録領域３１を含むように記録し、それを再生して多重記録時におけるホログラム又はホログラム記録層の特性を測定してもよい。
【００４４】
図１（Ｃ）において、第３のホログラム群１３Ｇのホログラム１３を再生するのであれば、左上の３×３個のホログラム１３の何れかを再生すると、その記録領域中における多重度の分布が均等となっているため好ましい。特に、第３のホログラム群１３Ｇの中央に位置する２×２のホログラム１３（太線で示す）は、他のホログラム１３に周囲を囲まれているため、再生するホログラムとしてより好ましい。
【００４５】
このようにして、ホログラム群を一つの層として、積層して多重記録領域を形成し、多重記録領域を含むホログラムの多重記録特性を測定すれば、各多重度の多重記録特性を容易に測定することができ、均一にモノマーを消費させることができ、安定した多重記録特性の測定を行うことができる。
【００４６】
図１（Ｄ）は、図１（Ａ）に示す第１のホログラム群と同じ規則性を有するホログラム群を９回重畳させて多重記録領域を形成した状態を示す図である。第９のホログラム群１９Ｇを太線で示し、他のホログラム群を点線で示す。
【００４７】
図１（Ｄ）においても、９個のホログラム群の各ホログラムは、全て異なる位置を中心として記録されている。なお、同一の位置を中心として、光の照射角度、光の波長または参照光のパターンを変更して多重記録してもよいが、光の照射角度、光の波長または参照光のパターンを変更しなければならない。但し、ホログラム群の照射位置の変化を周期的に変化させることで、変更の回数を減らすこともできる。例えば、第１００のホログラム群までは、各ホログラムを全て異なる位置を中心として記録し、第１０１のホログラム群の各ホログラムは、光の照射角度、光の波長または参照光のパターンを変更し、それぞれ第１のホログラム群の各ホログラムと同じ位置を中心として記録し、その後、第１０２〜第２００のホログラム群までは、それぞれ第２〜第１００のホログラム群までの各ホログラムの中心と同じ位置を中心として記録してもよい。
【００４８】
更に、図１（Ｄ）の第２乃至第９のホログラム群の各ホログラムは、ホログラム記録層に既に記録されているホログラムの中心から最も離間する位置を中心として記録されている。既に記録されているホログラムの中心から最も離間する位置を中心として記録すると、ホログラム記録層中のモノマー濃度が高い領域を中心としてホログラムを記録することができ、効率的且つ均一にモノマーを消費することができる。
【００４９】
図２は、隣接するホログラムの中心を直線で結んだ時の中心角が９０度となるように規則的に配置されたホログラム群を重畳させる場合において、各ホログラム群を記録する際のホログラムの中心から最も離間する位置を説明するための図である。図２においては、第１のホログラム群の４つのホログラムの中心ａ1、ａ2、ａ3、ａ4（●）によって構成される正方形ａ1ａ2ａ3ａ4内における他のホログラム群のホログラムの中心の配置を示す。なお、図２における各中心の図形を括弧の中に示す。以下も同じ。
【００５０】
最初は、正方形ａ1ａ2ａ3ａ4の中心ｂ1（■）が、既に記録されているホログラムの中心ａ1、ａ2、ａ3、ａ4から最も離間する位置となり、第２のホログラム群１２Ｇのホログラム１２の中心となる。
【００５１】
次に、正方形ａ1ｂ1ａ2ｂ2の中心ｃ1（▲）、正方形ａ1ｂ1ａ4ｂ3の中心ｃ2（▲）、正方形ｂ1ａ2ｂ4ａ3の中心ｃ3（▲）、正方形ａ4ｂ1ａ4ｂ5の中心ｃ4（▲）が、既に記録されているホログラムの中心ａ1〜4、ｂ1から最も離間する位置となる。なお、中心ｂ2〜5（□）は、正方形ａ1ａ2ａ3ａ4の外側における第２のホログラム群１２Ｇのホログラム１２の中心である。中心ｃ1〜4 （▲）間の距離がホログラムの直径よりも長い場合、中心ｃ1〜4 （▲）の全てを第３のホログラム群のホログラムの中心とすることができる。また、中心ｃ1〜4 （▲）間の距離がホログラムの直径よりも短い場合は、中心ｃ1とｃ4の組と中心ｃ2とｃ3の組の何れか一方を選択して、第３のホログラム群のホログラムの中心とし、他の一方を第４のホログラム群のホログラムの中心とする。なお、中心ｃ1とｃ4間の距離及び中心ｃ2とｃ3間の距離は、第１のホログラム群のホログラム間の距離（例えばａ1〜ａ2）と同じであり、互いのホログラムは重ならないので、同じホログラム群とすることができる。
【００５２】
更に、正方形ａ1ｃ1ｂ1ｃ2の中心ｄ1（★）、正方形ｃ1ａ2ｃ3ｂ1の中心ｄ2（★）、正方形ｃ2ｂ1ｃ4ａ4の中心ｄ3（★）、正方形ｂ1ｃ3ａ3ｃ4の中心ｄ4（★）が、既に記録されているホログラムの中心ａ1〜4、ｂ1、ｃ1〜4から最も離間する位置となる。中心ｄ1〜4 （★）間の距離がホログラムの直径よりも短い場合は、中心ｄ1〜4 （★）を一つずつ第５〜第８のホログラム群のホログラムの中心として選択する。ここで、２番目に選択するホログラム群のホログラムの中心は、最初に選択したホログラム群のホログラムの中心（例えばｄ1）と隣接する中心（ｄ2、ｄ3）以外の中心（ｄ4）を選択すると、平均的にモノマーを消費することができ好ましい。
【００５３】
その後、正方形ａ1ｄ5ｃ1ｄ1、正方形ｃ1ｄ6ａ2ｄ2、正方形ａ1ｄ1ｃ2ｄ7、正方形ｄ1ｃ1ｄ2ｂ1、正方形ｄ2ａ2ｄ8ｃ3、正方形ｃ2ｄ1ｂ1ｄ3、正方形ｂ1ｄ2ｃ3ｄ4、正方形ｃ2ｄ3ａ4ｄ9、正方形ｄ3ｂ1ｄ4ｃ4、正方形ｄ4ｃ3ｄ10ａ3、正方形ａ4ｄ3ｃ4ｄ11及び正方形ｃ4ａ3ｄ4ｄ12の中心ｅ1〜12（○）が、既に記録されているホログラムの中心ａ1〜4、ｂ1、ｃ1〜4、ｄ1〜4から最も離間する位置となる。なお、中心ｄ5〜12（☆）は、中心ｄ1〜4 （★）のホログラムを有するホログラム群の正方形ａ1ａ2ａ3ａ4の外側におけるホログラムの中心である。
【００５４】
そして、中心ｅ1〜12（○）において、ホログラムの直径よりも近い距離に位置する中心同士が、別のホログラム群となるように選択する。例えば、中心ｅ1（○）のホログラムと中心ｅ10、11、12（○）のホログラムは重ならないので、中心ｅ1（○）と中心ｅ10、11、12（○）の何れか一つは、同じホログラム群とすることができる。最も密度を高くして、図１のようにホログラムの中心間をホログラムの直径とした場合、中心ｅ1とｅ11の組、中心ｅ2とｅ12の組、中心ｅ3とｅ5の組、中心ｅ4、中心ｅ6、中心ｅ7、中心ｅ8とｅ10の組、中心ｅ9の８のホログラム群を記録することができ、それぞれ第９〜第１６のホログラム群の何れかのホログラムの中心として選択することになる。
【００５５】
ここで、ｅ1〜12の中心を選択する場合も、平均的にモノマーを消費するため、隣接する中心を連続して選択しないことが好ましい。特に、複数の選択可能な中心の中から、既に選択して記録したホログラムの中心から最も離間した位置とすることが好ましい。例えば、中心ｅ1とｅ11の組をホログラムの中心として選択して、第９のホログラム群を記録したら、次は、中心ｅ7をホログラムの中心として第１０のホログラム群を記録する。その後、中心ｅ2とｅ12の組か中心ｅ6の何れかを第１１のホログラム群のホログラムの中心として選択し、他方を第１２のホログラム群のホログラムの中心として選択する。更に、中心ｅ3とｅ5の組、中心ｅ4、中心ｅ8とｅ10の組、中心ｅ9の一つを第１３のホログラム群のホログラムの中心として選択し、その対角に位置する中心を第１４のホログラム群のホログラムの中心として選択し、残った２つの一方を第１５のホログラム群、他方を第１６のホログラム群のホログラムの中心としてそれぞれ選択する。
【００５６】
図３は、隣接するホログラムの中心を直線で結んだ時の中心角が６０度となり、ホログラムの中心間のピッチがホログラムの直径となるように規則的に配置されたホログラム群を重畳させる場合において、各ホログラム群を記録する際のホログラムの中心から最も離間する位置を説明するための図である。図３においては、中央に１つのホログラムを配置し、その周囲に６つのホログラムを配置し、全体として正六角形となるホログラム群を使用した。図３において、第１のホログラム群の７つのホログラムについては、中心ａ1、ａ2、ａ3、ａ4、ａ5、ａ6、ａ7（●）を示したが、第２のホログラム群以降は、各ホログラム群の中央のホログラムの中心のみを示すこととする。
【００５７】
最初は、第１のホログラム群の隣接するホログラムによって構成される正三角形ａ1ａ2ａ3の中心ｂ1（■）及び正三角形ａ1ａ5ａ6の中心ｂ2（■）が、既に記録されているホログラムの中心ａ1〜7から最も離間する位置となり、第２または第３のホログラム群のホログラムの何れかの中心となる。なお、他の三角形、例えば正三角形ａ1ａ3ａ4等の中心は、第２または第３のホログラム群における周辺のホログラムの中心となる。
【００５８】
次は、第１のホログラム群の中央のホログラムの中心ａ1と第２または第３のホログラム群のホログラムの中心とによって構成される正三角形Ｔ（一つだけ一点鎖線で例示した）の中心ｃ1、ｃ2、ｃ3、ｃ4、ｃ5、ｃ6（▲）が、既に記録されているホログラムの中心ａ1〜7、ｂ1〜n（ｎは図示していない第２または第３のホログラム群のホログラムの中心の数）から最も離間する位置となり、第４乃至第９のホログラム群のホログラムの何れかの中心となる。なお、例えば中心ｃ1を第４のホログラム群の中心として選択した場合は、次の第５のホログラム群の中心としては、多重度の偏りを防ぐため、隣接する中心ｃ2とｃ6（▲）以外の中心ｃ3、ｃ4、ｃ5を選択することが好ましい。
【００５９】
更に、正三角形ａ1ｃ2ｃ3や正三角形ｂ1ｃ2ｃ3と合同な正三角形の中心ｄ1〜18（★）が、既に記録されているホログラムの中心ａ1〜7、ｂ1〜n、ｃ1〜ｍ（ｍは図示していない第４乃至第９のホログラム群のホログラムの中心の数）から最も離間する位置となり、第１０乃至第２７のホログラム群のホログラムの何れかの中心となる。ここで、平均的にモノマーを消費するため、隣接する中心を連続してホログラム群のホログラムの中心として選択しないことが好ましい。特に、複数の選択可能な中心の中から、既に選択して記録したホログラムの中心から最も離間した位置とすることが好ましい。
【００６０】
図３の各ホログラム群において、中央に位置するホログラムは、他のホログラムによって囲まれており、平均的にホログラム記録層中のモノマーが消費されている。このため、各ホログラム群のホログラムを再生して多重記録特性を測定する場合は、中央のホログラムを再生すると、多重記録特性の測定結果が安定し、より定量的な評価が可能となるので好ましい。また、図３の各ホログラム群において、隣接するホログラムの中心間のピッチがホログラムの直径となるように配置されているので、ホログラムの充填密度を高くすることができ、多重度を大きくすることができる。
【００６１】
なお、図３の各ホログラム群においては、中央のホログラムを囲うのに必要な６個のホログラムしか示していないが、更に隣接するホログラムの中心を直線で結んだ時の中心角が６０度となるようにホログラムを記録すれば、周辺に配置されたホログラムを除いて、各ホログラムの記録領域中における多重度の分布状態が等しくなるように記録される。
【００６２】
図４は、ホログラム群における複数のホログラムの配置についての他の実施態様である。図４は、各ホログラム群４１Ｇ、４２Ｇ、４３Ｇ…において、複数のホログラム４１、４２、４３を互いを重ならないようにランダムに配置して記録媒体のホログラム記録層２に記録した場合である。この場合、各ホログラム群における単位面積当たりのホログラム数から、多重度を算出することができる。単位面積当たりのホログラム数は、多重度を大きくするため多い方が好ましい。単位面積当たりのホログラム数を多くするため、ホログラムの直径間のピッチがホログラムの直径となるようにするとよい。また、各ホログラム群の単位面積当たりのホログラム数が同じである方が安定した多重記録特性を得ることができるので好ましい。再生するホログラムの数（標本）を増やすことによって、より平均的な多重記録特性を得ることができる。
【００６３】
測定する特性としては、ＢＥＲ（Ｂｉｔ  Ｅｒｒｏｒ  Ｒａｔｅ）、ＳＥＲ（Ｓｉｎｂｌｅ  Ｅｒｒｏｒ  Ｒａｔｅ）、回折効率、ＳＮＲ（Ｓｉｇｎａｌ−ｔｏ−Ｎｏｉｓｅ  Ｒａｔｉｏ）、クロストークノイズ、グレーティングノイズ、多重度に対する露光量の関係又はホログラム記録層のＭナンバーである。
【００６４】
ＢＥＲは、記録した情報と再生した情報をビット毎に対比した時の誤りの割合を意味する。ＳＥＲは、記録する情報を一定情報量の単位毎に符号化して、２次元パターン情報のシンボル単位を生成し、２次元パターン情報のシンボル単位を平面的に配置して情報光用空間変調パターンを形成して、情報光用空間変調パターンによって情報光を生成した場合に、再生したときの再生光の空間変調パターンを情報光用空間変調パターンとビット毎に対比するのではなく、シンボル単位毎に対比した時の誤りの割合を意味する。回折効率は、再生用参照光の強度と再生光の強度の比から求められ、ＳＮＲは、再生光の信号とノイズの比から求められる。
【００６５】
クロストークノイズとは、再生した時に、記録領域に既に記録されているホログラムによる影響に関する。例えば、第３のホログラム群のホログラムを再生したのに、第２のホログラム群のホログラムの一部を再生した場合の第２のホログラム群のホログラムによる再生信号のことである。
【００６６】
グレーティングノイズとは、ホログラムを記録する際に、ホログラム記録層中に記録されたホログラムによって、記録するホログラムに与える影響に関する。例えば、第３のホログラム群を記録する場合は、ホログラム記録層中には多くても２個のホログラムしか記録されていないため、ホログラムは正確に記録されるが、第１００のホログラム群を記録する場合においては、既に最大１００個のホログラムが記録されており、ホログラムを正確に記録できず、再生したときにエラーとなる現象などである。
【００６７】
多重度に対する露光量の関係は、各ホログラム群を記録する時に情報光と記録用参照光の光強度やレーザーのパルス数を少しずつ増やしながら、記録再生を繰返して、十分な再生強度を得ることができた露光量を測定し、これを各多重度で測定すればよい。この測定結果によって、スケジューリングを行うことができる。そして、各ホログラム群を記録する際には、その多重度に適した露光量を選択し、ホログラム群の複数のホログラムを同じ露光量の光によって記録することが好ましい。更に、再生時における再生用参照光の最適化にも利用可能である。
【００６８】
ホログラム記録層のＭナンバー（Ｍ／＃とも表記する）は、ホログラム記録層における多重度の限界値に関する特性であり、ホログラム群をどれだけ積層できるかによって測定することが可能である。
【００６９】
図５は、ホログラムを記録再生して特性を測定する測定装置の実施形態を示す概略構成図である。測定装置１１０は、記録再生用光源１１１、コリメータレンズ１１２、偏光ビームスプリッタ１１３、空間光変調器（情報表現手段）１１４、１対のリレーレンズ１１５ａ、１１５ｂ、ミラー１１６、４分の１波長板１１７、対物レンズ１１８、光検出手段１１９を備えている。また、図５において、情報が記録される記録媒体１は、第１透明基板１ａ、ホログラム記録層２、反射層３および第２透明基板１ｂを備えている。
【００７０】
記録再生用光源１１１は、情報を記録するための情報光および記録用参照光を形成するための光および情報を再生するための再生用参照光を形成するための光を射出する。光源１１１としては、コヒーレントな直線偏光の光線束を発生する例えば半導体レーザを用いることができる。この記録再生用光源１１１としては、高密度記録を行うために波長が短い方が有利であり、青色レーザやグリーンレーザを採用することが好ましい。また、光源１１１として、固体レーザーを使用することもできる。
【００７１】
コリメータレンズ１１２は記録再生用光源１１１からの発散光線束をほぼ平行光線とするものである。
【００７２】
偏光ビームスプリッタ１１３は、直線偏光（例えばＰ偏光）を反射または透過し、当該偏光に垂直な直線偏光（例えばＳ偏光）を透過または反射するような半反射面１１３ａを有している。図５においては、偏光ビームスプリッタ１１３は、記録再生用光源１１１から射出された光線束を空間光変調器１１４に向けて反射し、空間光変調器１１４で偏光方向が９０度回転された情報光および参照光を透過する。
【００７３】
空間光変調器１１４は、格子状に配列された多数の画素を有し、各画素毎に出射光の位相又は／および強度を変調することができる透過型又は反射型の空間光変調器を使用することができる。空間光変調器１１４としては、ＤＭＤ（デジタル・マイクロミラー・デバイス）やマトリクス型の液晶素子を使用することができる。ＤＭＤは、入射した光を画素ごとに反射方向を変えることで強度を空間的に変調したり、入射した光を画素ごとに反射位置を変えることで位相を空間的に変調することができる。液晶素子は、画素ごとに液晶の配向状態を制御することで、入射した光の強度や位相を空間的に変調することができる。例えば、各画素毎に出射光の位相を、互いにπラジアンだけ異なる２つの値のいずれかに設定することによって、光の位相を空間的に変調することができる。図５において空間光変調器１１４は、入射光の偏光方向に対して、出射光の偏光方向を９０°回転させるようになっている。
【００７４】
そして、空間光変調器１１４の表示面に表示された情報光用空間変調パターンおよび参照光用空間変調パターンによって、光源１１１からの光を空間的に変調することにより、情報光および参照光を生成することができる。なお、情報光と参照光を生成する空間光変調器１１４を別々に設けることもできる。例えば、光源１１１からの光をビームスプリッタ等により分割して、一方の光を第一の空間光変調器によって空間的に変調して情報光を生成し、他方の光を第二の空間光変調器によって空間的に変調して参照光を生成してもよい。この場合は、情報光用空間変調パターンと参照光用空間変調パターンを対物レンズ１１８の入射瞳面において結像させる必要があるため、情報光を生成する空間光変調器と参照光を生成する空間光変調器を共役な関係とし、一対のリレーレンズ１１５ａ、１１５ｂによって伝搬させる。
【００７５】
一対のリレーレンズ１１５ａ、１１５ｂは、空間光変調器１１４から対物レンズ１１８までの間に配置されており、空間光変調器１１４に表示された像を対物レンズ１１８の入射瞳面に結像するように配置されている。すなわち、空間光変調器１１４から第１のリレーレンズ１１５ａまでの距離が第１のリレーレンズ１１５ａの焦点距離ｆ１となり、第２のリレーレンズ１１５ｂから対物レンズ１１８の入射瞳面までの距離が第２のリレーレンズ１１５ｂの焦点距離ｆ２となり、第１および第２のリレーレンズ１１５ａ、１１５ｂ間の距離が第１のリレーレンズ１１５ａの焦点距離ｆ１と第２のリレーレンズ１１５ｂの焦点距離ｆ２の和となるように配置されている。
【００７６】
また、図５において、一対のリレーレンズ１１５ａ、１１５ｂは、対物レンズ１１８から光検出手段１１９までの間に配置されており、再生用の参照光によって記録媒体１のホログラム記録層２から発生した再生光の対物レンズ１１８の射出瞳面における像を再び結像するように配置されている。すなわち、対物レンズ１１８の射出瞳面から第２のリレーレンズ１１５ｂまでの距離が焦点距離ｆ２となり、第１のリレーレンズ１１５ａから光検出手段１１９までの距離が焦点距離ｆ１となり、第１および第２のリレーレンズ１１５ａ、１１５ｂ間の距離が焦点距離ｆ１と焦点距離ｆ２の和となるように配置されている。
【００７７】
なお、一対のリレーレンズ１１５ａ、１１５ｂの配置は、他の光学素子を適宜配置することで変化する。例えば、第１のリレーレンズ１１５ａから光検出手段１１９までの間に拡大レンズを配置すれば、第１のリレーレンズ１１５ａと拡大レンズの入射瞳面までの距離が焦点距離ｆ１となるように配置される。
【００７８】
ミラー１１６は、光の進行方向を対物レンズ１１８に向けて反射するものであり、光学系の構成によっては不要である。
【００７９】
４分の１波長板１１７は、互いに垂直な方向に振動する偏光の光路差を４分の１波長変化させる位相板である。４分の１波長板１１７によってＰ偏光の光は円偏光に変化され、更に、この円偏光の光が４分の１波長板１１７を通過するとＳ偏光に変化されることになる。この４分の１波長板１１７によって、再生時における再生用の参照光と再生光を偏光ビームスプリッタ１１３で分離することができる。
【００８０】
対物レンズ１１８は、記録時においては、入射瞳面に結像した情報光および参照光を記録媒体１に照射し、ホログラム記録層２において干渉させて記録するものであり、また再生時においては、入射瞳面に結像した参照光を記録媒体１に照射し、記録媒体１のホログラム記録層２から発生した再生光を入射して射出瞳面に結像させるものである。
【００８１】
光検出手段１１９は、格子状に配列された多数の受光画素を有し、各受光画素毎に受光した光の強度を検出できるようになっている。光検出手段１１９としては、ＣＣＤ型固体撮像素子やＭＯＳ型固体撮像素子を用いることができる。また、光検出手段１１９として、ＭＯＳ型固体撮像素子と信号処理回路とが１チップ上に集積されたスマート光センサ（例えば、文献「Ｏ ｐｌｕｓ Ｅ，１９９６年９月，Ｎｏ．２０２，第９３〜９９ページ」参照。）を用いてもよい。このスマート光センサは、転送レートが大きく、高速な演算機能を有するので、このスマート光センサを用いることにより、高速な再生が可能となり、例えば、Ｇ（ギガ）ビット／秒オーダの転送レートで再生を行うことが可能となる。
【００８２】
ホログラムを記録する際の動作を説明すると、光源１１１から射出した光は、コリメータレンズ１１２によって平行光とされ、偏光ビームスプリッタ１１３によって空間光変調器１１４に向けて反射される。そして、空間光変調器１１４に表現された情報光用空間変調パターンおよび参照光用空間変調パターンによって情報光および記録用の参照光が生成される。情報光および記録用の参照光は、偏光ビームスプリッタ１１３を通過して、一対のリレーレンズ１１５ａ、１１５ｂによって、対物レンズ１１８の入射瞳面に空間光変調器１１４で表現された空間変調パターンが結像するように伝搬される。その途中、ミラー１１６によって対物レンズ１１８に向けて反射され、４分の１波長板１１７を通過する。そして、対物レンズ１１８によって記録媒体１に照射され、記録媒体１のホログラム記録層２に情報光および記録用の参照光の干渉縞が記録される。
【００８３】
更に、再生装置としての動作を説明すると、光源１１１から射出した光は、コリメータレンズ１１２によって平行光とされ、偏光ビームスプリッタ１１３によって空間光変調器１１４に向けて反射される。そして、空間光変調器１１４に表現された参照光用空間変調パターンによって再生用の参照光が生成される。なお、再生時における再生用の参照光の参照光用空間変調パターンは、記録媒体に記録された情報が記録される際に照射された記録用の参照光の参照光用空間変調パターンである。再生用の参照光は、偏光ビームスプリッタ１１３を通過して、一対のリレーレンズ１１５ａ、１１５ｂによって、対物レンズ１１８の入射瞳面に空間光変調器１１４で表現された参照光用空間変調パターンが結像するように伝搬される。その途中、ミラー１１６によって対物レンズ１１８に向けて反射され、４分の１波長板１１７を通過する。そして、対物レンズ１１７によって記録媒体１に照射され、記録媒体１のホログラム記録層２に記録された干渉縞によって回折され、記録時における情報光と同じ情報を有する再生光を発生する。
【００８４】
再生光は、記録媒体１の反射層３によって記録媒体１から対物レンズ１１８に向かって射出し、対物レンズ１１８によってその射出瞳面に情報光用空間変調パターンを結像し、かかる像を光検出手段１１９に再び結像されるように一対のリレーレンズ１１５ａ、１１５ｂによって伝搬される。その間に、再生光は、４分の１波長板１１７を通過し、ミラー１１６によって偏光ビームスプリッタ１１３に向けて反射される。その後、再生光は、照射時の再生用の参照光と比べて４分の１波長板１１７を２回通過しているので偏光方向が９０°ずれているため、偏光ビームスプリッタ１１３によって、光検出手段１１９に向けて反射される。最後に光検出手段１１９によって再生光の空間変調パターンが検出され、検出された情報は、制御手段（図示せず）に送られ、制御手段においてデコードされ情報を再生する。
【００８５】
上記測定装置において、複数のホログラムを記録するために情報光、記録用参照光及び再生用参照光の照射位置を記録媒体の表面と平行な方向に相対的に移動させる必要がある。ここで、情報光、記録用参照光及び再生用参照光を照射するピックアップ装置を移動させてもよいし、記録媒体を移動させてもよいし、ピックアップ装置と記録媒体の両方を移動させてもよい。ホログラムの記録再生装置と同様に、円形の記録媒体を回転させながら、記録媒体の半径方向にピックアップ装置を移動させてもよい。また、適当な露光量などを照射するため、同一位置で、光の強度を徐々に変化させたり、パルス数を変化させる場合では、光学系または記録媒体の一方を固定しておき、他方を移動させる方が好ましい。特に、光学系は僅かな変位であってもホログラムの品質に影響するため、変位しないように光学系を固定し、記録媒体を例えばＸＹステージによって移動させる方がより正確に特性を測定することができ好ましい。
【００８６】
このように、本発明の測定方法によって測定される特性は、記録媒体それ自体の開発にも利用できるし、記録再生装置における記録再生条件の条件出しに適用して、記録再生装置の開発にも利用できる。
【００８７】
なお、本発明は、前述した実施の形態に限定されるものではなく、必要に応じて種々の変更が可能である。
【図面の簡単な説明】
【００８８】
【図１】（Ａ）乃至（Ｄ）は本発明の測定方法の一実施態様の概略図
【図２】各ホログラム群の配置を説明するための図
【図３】各ホログラム群の配置を説明するための図
【図４】本発明の測定方法の他の実施態様の概略図
【図５】測定装置の実施形態を示す概略構成図
【図６】（Ａ）乃至（Ｄ）は、従来の測定方法の概略図
【符号の説明】
【００８９】
１１、１２、１３  ホログラム
１１ａ、１２ａ、１３ａ  ホログラムの中心
１１Ｇ、１２Ｇ、１３Ｇ、１９Ｇ  ホログラム群
２１、３１  多重記録領域
【図１】
2007079456.tif 000003
【図２】
2007079456.tif 000004
【図３】
2007079456.tif 000005
【図４】
2007079456.tif 000006
【図５】
2007079456.tif 000007
【図６】
2007079456.tif 000008